(57)【特許請求の範囲】
【請求項１】
機器上面に設けられ光透過性を有するトッププレートと、
前記トッププレートに形成された加熱部と、
トッププレート下方に設けられた、電極部及び、光が透過する抜き形状が形成された抜き形状部を有し、割り当てられた機能の実行を指示する静電式タッチキーと、
前記電極部に交流信号を加え前記電極部に対向する前記トッププレートの部分に触れることにより生じる前記電極部の大地に対する静電容量の変化を検知する操作検知部と、
前記抜き形状部に向け前記トッププレートと反対の方向から光を照射する操作部発光体と、
前記操作部発光体を点灯させて前記抜き形状が前記トッププレート越しに見えるようにし、前記操作部発光体を消灯させて前記抜き形状が見えにくくなるようにすることでユーザーが前記静電タッチキーを見ることができないよう、発光制御をする発光制御部と、
を備え、
前記発光制御部は、
操作可能な前記静電式タッチキーの前記操作部発光体を点灯させ、かつ操作可能でない前記静電タッチキーの前記操作部発光体を消灯し、
前記操作部発光体の光源の断線を検知する不点灯検知部と表示部を備え、前記不点灯検知部が前記操作部発光体が点灯していないことを検知すると、前記表示部にエラーを表示して、不点灯をユーザーに知らせる加熱調理器。
【請求項２】
前記不点灯検知部が前記操作部発光体が点灯していないことを検知すると、前記加熱部の加熱を停止する、もしくは加熱出力を小さくするよう制限する、請求項１に記載の加熱調理器。
【発明の詳細な説明】
【技術分野】
【０００１】
本発明は、操作部を発光させる加熱調理器に関するものである。
【背景技術】
【０００２】
従来のこの種の電子機器１００のブロック構成図を、図８に示す。図８に示すように、電子機器１００はデータバス１０１を有している。このデータバス１０１には記憶部１０２が接続され、当該電子機器１００の仕様書内容に匹敵する操作案内情報が記憶される。操作案内情報は当該電子機器１００の操作手順を予め決めて作成したものである。
【０００３】
記憶部１０２には読み出し専用メモリ（ＲＯＭ）が使用される。この記憶部１０２にはデータバス１０１を通して表示部１０３が接続され、記憶部１０２から読み出された操作案内情報が表示される。
【０００４】
この表示部１０３にはデータバス１０１を通して選択部１０４が接続され、モード選択部１０９により、ユーザーが操作案内モードを選択すると、当該電子機器１００の所望の機能を選択させるための被選択項目が表示部１０３に表示され、表示された被選択項目の中から一つを選択して複数の機能の中から所望の機能を選択するために、選択部１０４がユーザーによって操作される。
【０００５】
この選択部１０４には、データバス１０１及びＩ／Ｏインターフェース部１０５を通して機能を動作させるための操作がされる発光操作体１０６が接続され、この選択部１０４の操作によって特定の発光操作体１０６が点滅されるようになっている。
【０００６】
従って、この点滅によって発光操作体１０６の取り付け位置をユーザーに知らしめることができる。しかも、表示部１０３にその発光操作体１０６の名称を表示することにより、マニュアルを読まなくても、その発光操作体１０６の名称と取り付け位置を認知することができる。
【０００７】
このデータバス１０１には音発生部１０７が接続され、点滅された部位の発光操作体１０６を操作することにより、例えば、「ピッ」というような確認音を鳴らす。
【０００８】
この確認音「ピッ」は、ユーザーに対して「確かに指定された押しボタン等が押下された」ことを確認させるためである。この押しボタンの押下操作は、次の操作案内情報を記憶部１０２から表示部１０３へ読み出すためのトリガとなっている。
【０００９】
なお、点滅されていない部位の発光操作体１０６を操作したときに、「ピッ、ピッ・・・」というような警告音を鳴らすようにしてもよい。音発生部１０７は「ピッ」という確認音や、「ピッ、ピッ・・・」という警告音を発生する音声処理回路１０７Ａ及びこれらの確認音や警告音を発生するスピーカー１０７Ｂを有している。オーディオ機器では音声処理回路１０７Ａ及びスピーカー１０７Ｂを具備しているので、これを共用してもよい。
【００１０】
この音発生部１０７にはデータバス１０１を通して制御部１０８が接続される。制御部１０８によって、発光操作体１０６の操作を確認するように音発生部１０７が発生制御される。制御部１０８にはＣＰＵ（中央演算装置）などが使用される。また、制御部１０８によって次の操作手順を表示するように表示部１０３が制御されると共に、次の操作を示す発光操作体１０６を光らせるように発光制御する。発光操作体１０６を光らせる順序は操作手順に合うように、予め記憶部１０２に記憶されている。
【００１１】
このデータバス１０１には、記憶部１０２、表示部１０３、選択部１０４、Ｉ／Ｏインターフェース部１０５、音発生部１０７及び制御部１０８の他に、モード選択部１０９が接続され、操作案内モード又は非操作案内モードを選択させるために操作される。ここで操作案内モードとは電子機器１００の機能動作の実行に至る操作を誘導するモードをいい、非操作案内モードとは操作案内誘導を実行しないモードをいう。
【００１２】
この電子機器１００は、通常動作時には非操作案内モードになっている。操作案内機能を使用したい時のみ、モード選択部１０９により操作案内モードを選択する。従って、モード選択部１０９により、非操作案内モードを選択する必要はない。
【００１３】
また、頻繁に使用しない機能を動作させるときに、電子機器１００の操作方法を忘れる場合がある。また、仕様書を紛失してしまう場合がある。このような場合には、その仕様書を読み返さなくても、モード選択部１０９によって操作案内モードを選択することにより、操作案内機能を利用することができる（例えば、特許文献１参照）。
【先行技術文献】
【特許文献】
【００１４】
【特許文献１】特開２００１−５１７７７号公報
【発明の概要】
【発明が解決しようとする課題】
【００１５】
しかしながら、従来の構成では、発光操作体は、プッシュ式の押しボタン、ジョグダイアルのような回転体などで構成されており、発光操作体が発光しない状態で常にユーザーが視認できる状態にある。色付きの光源で操作可能な操作部発光体のみを発光させても、その意図に気づかないユーザーは、発光していないが視認可能な発光操作体を操作してしまうという課題を有していた。
【００１６】
本発明は、従来の課題を解決するもので、機器の上面に設けられた加熱部の操作を容易にし、かつ誤操作を防止することができる加熱調理器を提供する。
【課題を解決するための手段】
【００１７】
前記従来の課題を解決するために、本発明の加熱調理器は、機器上面に設けられ光透過性を有するトッププレートと、トッププレートに形成された加熱部と、電極部及び光が透過する抜き形状が形成された抜き形状部を有し、割り当てられた機能の実行を指示する静電式タッチキーと、電極部に交流信号を加え電極部に対向する前記トッププレートの部分に触れることにより生じる電極部の大地に対する静電容量の変化を検知する操作検知部と、抜き形状部に向けトッププレートと反対の方向から光を照射する操作部発光体と、操作部発光体を点灯させて抜き形状がトッププレート越しに見えるようにし、操作部発光体を消灯させて抜き形状が見えにくくなるよう発光制御をする発光制御部と、を備え、発光制御部は、操作可能な静電式タッチキーの操作部発光体を点灯させるとともに、操作部発光体の光源の断線を検知する不点灯検知部と表示部を備え、不点灯検知部が操作部発光体が点灯していないことを検知すると、表示部にエラーを表示して、不点灯をユーザーに知らせる加熱調理器とした。
【００１８】
これにより、操作可能な静電式タッチキーの抜き形状のみがトッププレート越しに見え、一方、操作不可能な静電式タッチキーの抜き形状が見えにくくなるので、操作が容易になり操作性が向上する。さらに、静電タッチスイッチが見えにくい構成であるため、故障により操作部発光体が発光していない場合は、ユーザーにとっては混乱が生じる可能性があるが、この場合には、その旨をユーザーに伝え、不用意に加熱動作を開始するのを防止
し、修理を促す事ができる。
【発明の効果】
【００１９】
本発明の加熱調理器は、操作を容易にし、かつ異常時には不用意に加熱動作を開始するのを防止できる。
【図面の簡単な説明】
【００２０】
【図１】本発明の実施の形態１、２における加熱調理器を示す外観図
【図２】本発明の実施の形態１、２における加熱調理器のトッププレートを示す上面図
【図３】本発明の実施の形態１における天面操作部を機能させる回路部を示すブロック図
【図４Ａ】導光板消灯時の操作部を示す上面図
【図４Ｂ】導光板消灯時の操作部を示す斜視図
【図４Ｃ】導光板点灯時の操作部を示す上面図
【図４Ｄ】導光板点灯時の操作部を示す斜視図
【図５Ａ】天面操作部の一部において全ての導光板が発光した状態を示す上面図
【図５Ｂ】天面操作部の一部において１つの導光板が発光した状態を示す上面図
【図５Ｃ】天面操作部の一部において２つの導光板が発光した状態を示す上面図
【図６Ａ】実施の形態２の天面操作部の一部において、全ての導光板が発光した状態を示す上面図
【図６Ｂ】１つの導光板が点滅した状態を示す上面図
【図６Ｃ】２つの導光板が異なる周期で点滅した状態を示す上面図
【図７Ａ】実施の形態２の加熱調理器における天面操作部を機能させる回路部を示すブロック図
【図７Ｂ】実施の形態２の加熱調理器における不点灯検知部を備えた発光制御部を示すブロック図
【図８】従来例にあげる加熱調理器である電子機器を示すブロック構成図
【発明を実施するための形態】
【００２１】
本発明は、機器上面に設けられ光透過性を有するトッププレートと、トッププレートに形成された加熱部と、電極部及び光が透過する抜き形状が形成された抜き形状部を有し、割り当てられた機能の実行を指示する静電式タッチキーと、電極部に交流信号を加え電極部に対向する前記トッププレートの部分に触れることにより生じる電極部の大地に対する静電容量の変化を検知する操作検知部と、抜き形状部に向けトッププレートと反対の方向から光を照射する操作部発光体と、操作部発光体を点灯させて抜き形状がトッププレート越しに見えるようにし、操作部発光体を消灯させて抜き形状が見えにくくなるよう発光制御をする発光制御部と、を備え、発光制御部は、操作可能な静電式タッチキーの操作部発光体を点灯させるとともに、操作部発光体の光源の断線を検知する不点灯検知部と表示部を備え、不点灯検知部が操作部発光体が点灯していないことを検知すると、表示部にエラーを表示して、不点灯をユーザーに知らせる加熱調理器である。
【００２２】
操作可能な静電式タッチキーの抜き形状のみがトッププレート越しに見え、一方、操作不可能な静電式タッチキーの抜き形状が見えにくくなるので、操作が容易になり操作性が向上する。さらに、故障により操作部発光体が発光していない場合は、その旨をユーザーに伝え、不用意に加熱動作を開始するのを防止し、修理を促す事ができる。
【００２３】
また、本発明は、不点灯検知部が前記操作部発光体が点灯していないことを検知すると、加熱部の加熱を停止する、もしくは加熱出力を小さくするよう制限する。これにより、ユーザーが意図しないで静電式タッチキーに触れ、加熱動作を開始させる又は不用意な加
熱動作で危険な状況が生じることを防止することができる。
【００２４】
以下、本発明の実施の形態について、図面を参照しながら説明する。なお、本実施の形態によって、本発明が限定されるものではない。
【００２５】
（実施の形態１）
図１は、本発明の実施の形態１における加熱調理器の外観図である。
【００２６】
図１において、この加熱調理器の主たる構成要素は、被加熱物（図示せず）を載置するため機器上面に設けられ、光透過性を有する結晶化セラミックからなる耐熱ガラスなど、耐熱性が高い電気絶縁物で板状に形成されたトッププレート２、トッププレート２に形成された加熱部１、加熱部１の手前側のトッププレート２に形成された天面操作部３、加熱調理器の機器前面に配置された出没可能なカンガルー操作部４である。
【００２７】
天面操作部３の領域内において、割り当てられた機能の実行を指示するための静電式タッチキー５が形成される。静電式タッチキー５はトッププレート２裏面に遮光性を有する導電性皮膜で形成された電極部５ｂを有する。電極部５ｂには、導電性皮膜のない部分、すなわち光が透過する領域が所定の形状（図形、文字、記号などの抜き形状）となるように形成されている（図４Ｄ参照）。加熱部１はトッププレート２に形成され、トッププレート２下面に形成された印刷膜で加熱コイルの平面形状にほぼ合致する大きさの円状の領域が、加熱部１の加熱可能領域として表示される。誘導加熱調理器の場合、高周波磁界を発生する誘導加熱コイル（図示せず）がこの加熱可能領域に対向して設けられ加熱部１の構成要素となる。
【００２８】
なお、本発明の加熱部１はこのような誘導加熱式のものに限定されない。電熱線又はシーズヒーターなどのヒーターが構成要素となる電気ヒーター加熱式、あるいはガスバーナーを加熱源とするガス加熱式の加熱調理器であってもよい。ガス加熱式の場合には、例えばトッププレート２に開口部を設け当該開口部にバーナーの構成部品を配置してもよく、機器上面に設けられたトッププレート２に加熱部１と静電式タッチキー５が形成される加熱調理器を対象とすることができる。
【００２９】
実施の形態１のトッププレート２に関しては、少なくとも天面操作部３は黒色に着色され他は略全体が銀色に着色されている。天面操作部３を着色するため光透過性の低い色の印刷膜がトッププレート２の裏面に形成されて着色されている。天面操作部３の下にある発光体が発光している時は導電性皮膜が取り除かれ遮光性のない部分を透過した光が見える。発光体が点灯中は電極部５ｂの形状（抜き形状、図４Ｄのキー表示部５ｃ、５ｄ参照）をトッププレート２越しに視認すことができるが、消灯している時はその形状が見えにくい構造になっている。
【００３０】
なお、天面操作部３を着色する方法は上記構成に限定されない。印刷膜を形成する代わりに、例えばハーフミラー効果を有する蒸着膜を形成しても良い。着色膜を形成する代わりにトッププレート２の材料、例えば結晶化セラミック自身が黒色に着色されていてもよい。この場合は、天面操作部３に、電極部５ｂの形状（キー表示部５ｃ、５ｄ、図４Ｃ参照）を見えにくくするための着色用の印刷膜を形成する必要がない。また、トッププレート２と電極部５ｂの消灯時を同色にすることにより、操作できない静電式タッチキー５の導光板７が消灯した時、電極部５ｂの形状がユーザーに見えにくくなるようにしてもよく、上記と同様の効果を得ることができる。
【００３１】
天面操作部３は図１のように窓を形成してトッププレート２の他の部分と色が異なっていてもよいし、色が同一で窓が形成されていなくてもよい。例えばトッププレート２全体
が濃い茶色でその一部を天面操作部３としてもよい。この場合には、天面操作部３を明るい線の枠を印刷して囲って窓を表示してもよい。天面操作部３を示す窓の表示はなくても良い。天面操作部３を示す窓が存在する場合には、ユーザーは静電式タッチキー５が配設された範囲を容易に識別することができる。
【００３２】
図２は、本発明の実施の形態１における加熱調理器のトッププレート２を上から見た図であり、図３は、本発明の実施の形態１における加熱調理器の操作部の断面構成及び当該操作部を機能させる回路部を示すブロック図である。
【００３３】
トッププレート２は、耐熱ガラスなどで構成され、その上面に被加熱物が載置され、その下面には加熱部１を表示する模様が形成される。加熱部１は、例えば、被加熱物を誘導加熱する誘導加熱調理器であれば高周波電流を流し磁界を発生する誘導加熱コイルを構成要素とする。このトッププレート２の一部の区域を印刷色が周囲と異なるように色分けし、あるいは線で区切って、あるいは必ずしも区切ることはなく、ユーザーが操作を行う操作領域である、天面操作部３が設けられている。
【００３４】
図３において、天面操作部３及びそれを機能させるための回路部の主な構成要素は、指５ａで触れて押圧操作される静電式タッチキー５、操作検知部６、電極部５ｂに向けトッププレート２と反対の方向から（この場合、下方から上方に向け）光を照射する操作部発光体を構成する導光板７、発光制御部８である。導光板７は操作部発光体の他の構成要素である光源（図示せず、例えばＬＥＤ）から入射した光を導き電極５ｂ方向に放射する。なお、導光板７を省略してＬＥＤ等の光源自身で操作部発光体を構成してもよい。
【００３５】
操作検知部６は、表示部１７と加熱制御部１６に対して検知結果を出力する。表示部１７は、静電タッチキー５に割り当てられ押圧操作により実行指示された機能に対応する表示をおこなう。加熱制御部１６は、静電タッチキー５に割り当てられ押圧操作により実行指示された機能に対応する制御を行う。
【００３６】
静電式タッチキー５は、トッププレート２の裏面にある電極部５ｂと、トッププレート２の上面にある指５ａとで、コンデンサを形成する。電極部５ｂには、操作検知部６内の発振回路（図示せず）により高周波電圧が印加されている。
【００３７】
操作検知部６は、指５ａが電極部５ｂ上方のトッププレート２上面に触れたときに、高周波電圧が加えられた電極部５ｂをトッププレート２、指５ａを通して大地にバイパスし、電極部５ｂに現れる電圧が所定以上低下することを検知して、静電式タッチキー５に対する操作が行われたことを検知している。つまり、操作検知部６は、電極部５ｂに交流信号を加え電極部５ｂに対向するトッププレート２の表面部分に触れることにより生じる電極部５ｂの大地に対する静電容量の変化を検知して、指による静電式タッチキー５に対する入力操作を検知する。なお、電極部５ｂに対向した電極部（図示せず）をトッププレート２の上面に設けても良く、これにより静電式タッチキー５の入力感度を安定化させることができる。
【００３８】
さらに、記憶部１２を有し、加熱調理器の仕様書内容に匹敵する操作手順の情報である操作案内情報が記憶されている。それぞれの状態で、どのキーが操作可能であり、複数のキーが操作可能な場合は、どのキーの使用頻度が高くその操作がより期待され、どのキー操作への誘導を優先的に行うかといった情報は、記憶部１２に予め記憶されている。この発光制御部８は記憶部１２に記憶されている情報に従って、導光板７を発光制御する。
【００３９】
図４Ａは導光板７消灯時の天面操作部３を示す上面図、図４Ｂは導光板７消灯時の天面操作部３を示す斜視図、図４Ｃは導光板７点灯時の天面操作部３を示す上面図、図４Ｄは
導光板７点灯時の天面操作部３を示す斜視図である。
【００４０】
電極部５ｂは銅箔などの光透過性の低い金属膜や黒色の導電性を有する導電性塗料など所定の遮光性を有する導電性皮膜で形成されているため、導光板７が発光してもトッププレート２上面に光が透過する事がないまたは透過しにくくなるようにすることができる。そこで、図４Ｂ、４Ｄの電極部５ｂに示すように、トッププレート２上に発光させて表示したい図形や文字の発光させたい部分のみ金属膜などの導電性皮膜を取り除いてキー表示部５ｃ、５ｄを形成し、キー表示部５ｃ、５ｄを光が透過できるようにしている。なお、図４Ｂ、４Ｄで電極部５ｂのハッチングを付した部分はキー表示部５ｃ、５ｄであり、その部分の金属膜などの導電性皮膜が取り除かれていることを示す。
【００４１】
天面操作部３は、トッププレート２の裏面に光透過性の低い色（例えば、黒色、濃い茶色、濃い赤色等）で印刷膜を形成してあるので、図４Ｂに示すように導光板７が消灯している場合は、図４Ａに示すようにトッププレート２の上面には何も見えない。図４Ｄに示すように導光板７が発光すると、電極部５ｂの導電性皮膜部分は、光が透過せずトッププレート２の色のままであるが、キー表示部５ｃ、５ｄは、導光板７の照射する光が透過して天面操作部３を構成する光透過性を有するトッププレート２と印刷膜をさらに透過するので、図４Ｃのようにキーの模様が浮かび上がり視認できる。なお、図４Ｃ、４Ｄでトッププレート２のハッチングを付した部分は、その部分が光っていることを示す。
【００４２】
このように、発光制御部８は、電極部５ｂの下に配置する導光板７（操作部発光体）を点灯することで、電極部５ｂの形状がトッププレート２越しに見えるようにし、導光板７を消灯することで電極部５ｂの形状が見えにくくなるよう発光制御をすることで、静電式タッチキー５自体が発光し、そして消灯したように見せている。
【００４３】
なお、図４Ａ〜４Ｄを使った説明では、電極部５ｂから導電性皮膜を取り除いた部分であるキー表示部５ｃ、５ｄを仮にそれぞれ三角、枠形状とし、このような形がトッププレート２の上面に見えるとした。しかしこれは、説明を分かりやすくするための一例であって、実際には図５Ａ〜５Ｃ、６Ａ〜６Ｃに示すように、キー表示部５ｃ、５ｄは、枠の形状に導電性皮膜を取り除いた領域表示部５ｄと、様々な文字、記号または図形の形に金属を取り除いて形成した機能表示部５ｃとで構成されている。したがって、このような静電式タッチキー５に割り当てられた機能を表示する機能表示部５ｃと静電式タッチキー５の操作範囲を示す領域表示部５ｄがトッププレート２の上面に見えるようにする。
【００４４】
そして、トッププレート２の一部の区域に配設された天面操作部３には、図４Ａ〜４Ｄで説明したような静電式タッチキー５が複数（図２に示す例では１４個）横に並んでそれぞれ同数の導光板７と組み合わされて設けられている。
【００４５】
従って、この天面操作部３を構成する静電式タッチキー５に含まれる導光板７が発光すると、天面操作部３であるトッププレート２の上面には、図２に示すような機能表示部５ｃの文字や記号と領域表示部５ｄの枠が発光して見える。また、この天面操作部３が形成されているトッププレート２の部分は、光透過性の低い色で印刷されているので、導光板７が点灯しない時には、天面操作板３が形成されたトッププレート２の部分の上面にはその色の平面が見えるだけで、文字や記号は何も見えない。なお、導光板７が点灯しない時には、天面操作板３が形成されたトッププレート２の部分の上面には何も見えないようにする代わりにキー表示部５ｃ、５ｄが見えにくくなるようにしてもよい。
【００４６】
図５Ａは天面操作部３の一部において全ての導光板７が何らかの色で発光した状態を示す上面図、図５Ｂは同じく天面操作部３の一部において１つの導光板７が赤色で発光した状態を示す上面図、図５Ｃは同じく天面操作部３の一部において２つの導光板７が発光（
１つの導光板７は赤色で発光し、他の１つの導光板７は白色で発光）した状態を示す上面図である。
【００４７】
静電式タッチキー５ａａ〜５ｇｇは、各機能に対応した静電式タッチキー５を示している。
【００４８】
特に、静電式タッチキー５ｇｇはロック解除キー（以後、「ロック解除キー５ｇｇ」ともいう）であり、ロック状態にあり他のキーの操作が不可となっている機器のロック状態を解除するために使われる。静電式タッチキー５ｃｃは、揚物スタートキー（以後、「揚物スタートキー５ｃｃ」ともいう）であり、ロック解除状態の時、被加熱物（図示せず）である鍋内の油温を所定の温度に保つように加熱出力を制御する揚物調理を開始する場合に用いる。静電式タッチキー５ｆｆは加熱スタートキー（以後、「加熱スタートキー５ｆｆ」ともいう）であり、ロック解除状態の時、揚物以外の加熱を開始する場合に用いる。
【００４９】
なお、揚物スタートキー５ｃｃは、揚物調理動作中に操作されるとその動作を停止する停止キーを兼用させてもよい。また、加熱スタートキー５ｆｆは、加熱動作中に加熱動作を停止する加熱停止キーを兼用させてもよい。
【００５０】
以上のように構成された加熱調理器について、以下その動作、作用を説明する。
【００５１】
まず、電源スイッチ４ａにより電源の投入または遮断が行われる。電源投入がされない状態においては、機器の全ての表示が消され機器の操作が全て禁止されている。電源スイッチ４ａ遮断後において、機器の操作が禁止されるが、例えば高温の注意ランプを所定時間点灯する、余熱を低下させるまで冷却ファンを動作させるなどの制御動作を行うことは必要に応じて行なわれる。電源スイッチ４ａは信頼性を高めるため例えば機械式接点のものが用いられ、図１に示すように機器前面に設けるか、機器上面、あるいはカンガルー操作部４等に配設される。なお、電源の投入・遮断は、リレーを用いてもよい。また、電源スイッチ４ａは、メイン電源供給線を遮断してもよいし、制御電源を遮断するものであってもよい。電源スイッチ４ａにより電源オフの状態となると、全ての静電式タッチキー５ａａ〜５ｇｇは操作不可能状態となる。
【００５２】
電源スイッチ４ａによる電源投入後の所低時間（例えば数秒間）は、機器がどういう機能を持っているかをユーザーに知らせるために、図５Ａのように全ての静電式タッチキー５ａａ〜５ｇｇが何らかの色で点灯する（実際には静電式タッチキー５ａａ〜５ｇｇの下の導光板７が点灯しているが、静電式タッチキー５ａａ〜５ｇｇ自身が点灯しているように見え、このように説明する）。この時の静電式タッチキー５ａａ〜５ｇｇの発光色は何色であってもよいし、全て同一色であってもよいし異なる色であってもよいが、例えば全て赤色で発光させる。
【００５３】
上記所定時間後、加熱調理器はロック状態に移行し、発光制御部８は、図５Ｂに示すようにロック解除キー５ｇｇのみを点灯（連続点灯または点滅）させる。この時、使用可能なキーはロック解除キー５ｇｇのみである。この時の静電式タッチキー５ｇｇの発光色は何色であってもよいが、例えば赤色で発光させる。
【００５４】
この時、ロック解除キー５ｇｇのみが発光しており、ユーザーはロック解除キー５ｇｇのみを見ることができる。従って、ユーザーはロック解除キー５ｇｇのみが操作可能であることを知ると同時に、それ以外のキーは見ることができず、存在も知ることができず、その当然の結果として操作することもできず、ロック解除キー５ｇｇ以外のキーを誤って操作する可能性も無い。
【００５５】
なお、操作可能な操作部であるロック解除キー５ｇｇのみを発光し操作可能でない他のキーを消灯する代わりに、操作可能な操作部であるロック解除キー５ｇｇを第１の発光色（例えば赤色）で発光させ、操作可能でない他のキーを他の発光色である第２の発光色（例えば緑色）で発光させ操作可能な操作部が目立つようにしてもよい。操作可能であるキーが操作可能でないキーと視覚的に区別されるので、操作可能でないキーを誤って操作してしまうことを防止することができる。
【００５６】
ユーザーがロック解除キー５ｇｇを操作すると、操作検知部６は、ロック解除キー５ｇｇの操作を検知し、ロック解除キー５ｇｇが操作された事を、発光制御部８に知らせる。
【００５７】
発光制御部８は、ロック状態からロック解除キー５ｇｇが押された場合はロック解除状態となり、記憶部１２に記憶されている操作案内情報に従って、揚物スタートキー５ｃｃと加熱スタートキー５ｆｆのみが操作可能であることを判定する。そして、発光制御部８は、ロック解除キー５ｇｇを消灯し、揚物スタートキー５ｃｃと加熱スタートキー５ｆｆの導光板７を点灯（連続点灯または点滅）させた、図５Ｃの状態になるように導光板７を制御する。そして、揚物開始キー５ｃｃと加熱開始キー５ｆｆのいずれかを操作すると、それぞれに割り当てられた機能を発揮するように、加熱コイルによる加熱部１での加熱動作が開始される。例えば、加熱開始キー５ｆｆを操作すると、次に操作可能とする静電式タッチキー５、すなわち加熱機能の詳細設定（出力設定、タイマー設定など）に必要な静電式タッチキー５として、タイマー取消キー５ａａ、タイマー設定キー５ｂｂ、火力ダウンキー５ｄｄ、火力アップキー５ｅｅの導光板７を選択して点灯させ、加熱機能選択後の詳細設定に不要であり操作不可能とする加熱開始キー５ｆｆ、揚物スタートキー５ｃｃの導光板７を消灯させる。
【００５８】
このように、発光制御部８は、操作可能な静電式タッチキー５が操作されたことを検知すると、操作可能でなくなった静電式タッチキー５の導光板７を消灯させるとともに、次に操作可能となった静電式タッチキー５の導光板７を発光させることにより、静電式タッチキー５を操作するごとに、次の操作に必要な静電式タッチキー５のみが表示されるので操作に必要な静電式タッチキー５を容易に発見することができる。
【００５９】
なお、ロック解除後に、導光板７を点灯させる静電式タッチキー５の数は上記のように２個に限定されず、少なくとも一つ以上あればよい。
【００６０】
静電式タッチキー５の発光するキー表示部５ｃ、５ｄを押し下げ操作することにより、操作命令を受け付けるので、受け付けたときにキー表示部５ｃ、５ｄを点滅させるとよい。操作を受け付けたことをユーザーは視覚的に確認することができるので、入力操作が受け付けられたことを確認できずに、同じ操作を何度も行うという無駄な操作を防ぐことができる。
【００６１】
このとき、操作可能な２つのキー（揚物スタートキー５ｃｃと加熱スタートキー５ｆｆ）のうち、加熱スタートキー５ｆｆの方が使用頻度が高く、優先順位が高い。そこで、優先順位の高い加熱スタートキー５ｆｆはより目立つ色である赤色で発光させ、優先順位の低い揚物スタートキー５ｃは比較的目立ちにくい色である白色で発光させる。
【００６２】
すると、ユーザーは、はじめのロック状態では、点灯しているロック解除キー５ｇｇを操作し、次にロックが解除されると、現れた揚物スタートキー５ｃｃと加熱スタートキー５ｆｆを操作するといったように、操作可能なキーが天面操作部３を見るだけで理解できるので、操作仕様書を見ながら操作をする必要がなくなる。また、操作可能な静電式タッチキー５のみが点灯するので、その他の無効なキーを操作する誤操作がなくなる。
【００６３】
更に、優先順位の高い静電式タッチキー５の発光色を優先順位の低い静電式タッチキー５の発光色と異なるより目立つ色で発光することで、操作の誘導をより分かりやすく便利に行い、ユーザーによりスムーズな操作を行わせることができる。
【００６４】
また、キー表示部のうち枠状に形成され静電式タッチキーの操作範囲を示す領域表示部５ｄを有するので、導光体７が発光した時、静電式タッチキー５の操作範囲が浮かび上がり、ユーザーはその範囲を明確に認識できる。また、領域表示部５ｄの内側の電極部５ｂは領域表示部５ｄの外側の電極部５ｂと容量結合により電気的に接続するので、操作検知部６から高周波電圧を領域表示部５ｄの外側の電極部５ｂに加えても、領域表示部５ｄの内側の電極部５ｂも電極部としての作用を発揮させることができる。また、導電性被膜を印刷により形成すれば、領域表示部５ｄを見栄え良く形成することができる。領域表示部５ｄの形状は、枠状に限定されない。例えば環状に形成しても良いし、連続的な線で形成する必要はなく破線のような形状にしても良い。
【００６５】
キー表示部のうち静電式タッチキー５に割り当てられた機能を表示する機能表示部５ｃを有するので、導光体７が発光したとき、静電式タッチキー５の機能を表示する機能表示部５ｃが浮かび上がるのでユーザーはその機能を明確に認識できる。また、機能表示部５ｃの上のトッププレート２に触れるとその外側の電極部５ｂと指が容量結合により電気的に接続するので機能表示部５ｃの上に触れても静電式タッチキー５としての機能を得ることができる。また、電極部５ｂの導電性被膜を印刷により形成すれば、機能表示部５ｃを見栄え良く形成することができる。
【００６６】
また、ユーザーの目に触れるキー表示部５ｃ、５ｄは電極部５ｂにその抜き形状で形成されるので、ユーザーは見えるキー表示部自身５ｃ、５ｄを押し下げ操作すればよく誤動作の可能性も少なくなる。また、電極部５ｂの周囲に静電式タッチキー５を光らせるための表示専用の平面的スペースを必要としない。これにより、複数の静電式タッチキー５の中から必要なものを選択して操作する場合、または静電式タッチキー５の数を減らすため１つの静電式タッチキー５を共用操作して複数の機能が実行できるようにした場合、ユーザーは、容易に必要な静電式タッチキー５を選択して誤動作なく操作を行う事が可能になり使い勝手を向上させることができる。
【００６７】
なお、電源スイッチ４ａによる電源投入後の所低時間、上記のように全ての静電式タッチキー５ａａ〜５ｇｇが点灯するように構成する代わりに、所定の静電式タッチキー、例えば、使用頻度の高い機能あるいは重要な機能に関係する静電式タッチキーを選択して表示しても良い。
【００６８】
なお、電源スイッチ４ａによる電源投入後の所低時間、上記のように全ての静電式タッチキー５ａａ〜５ｇｇが点灯する構成を省略して、電源投入後、他の表示をしてからロック状態に移行してもよく、即ロック状態に移行するように構成してもよい。
【００６９】
なお、本発明の実施の形態１において、加熱調理器の一種である高周波電流を誘導加熱コイルに供給して被加熱物を高周波磁界により誘導加熱する誘導加熱調理器により説明したが、トッププレートを上面に配置し、ガス、ハロゲン、ニクロム線、またはシーズヒーターなど他の熱源を利用して加熱調理を行う加熱調理器にも同様に適用できる。
【００７０】
（実施の形態２）
本発明の実施の形態２の加熱調理器の主要な外観と構成は、図１〜３と同様であり、図１〜３を兼用して詳細な説明を省略する。
【００７１】
図６Ａは、実施の形態２の加熱調理器の天面操作部３の一部において、全ての導光板７
が発光した状態を示す上面図、図６Ｂは１つの導光板７が所定の比較的早い周期（０．５秒周期）で点滅した状態を示す上面図、図６Ｃは１つの導光板７が所定の比較的早い周期（０．５秒周期）で点滅し、他の１つの導光板７が所定の比較的遅い周期（１．０秒周期）で点滅した状態を示す上面図である。
【００７２】
静電式タッチキー１１ａａ〜１１ｇｇは、各機能に対応した静電式タッチキー５を示している。
【００７３】
特に、静電式タッチキー１１ｇｇはロック解除キー（以後、「ロック解除キー１１ｇｇ」ともいう）であり、ロック状態にあり、他のキーの操作が不可となっている機器のロックを解除するために使われる。静電式タッチキー１１ｃｃは、揚物スタートキー（以後、「揚物スタートキー１１ｃｃ」ともいう）であり、ロック解除状態の時、揚物調理を開始する場合に用いる。静電式タッチキー１１ｆｆは加熱スタートキー（以後、「加熱スタートキー１１ｆｆ」ともいう）であり、ロック解除状態の時、揚物以外の加熱を開始する場合に用いる。なお、揚物スタートキー１１ｃｃは、揚物調理動作中に操作されるとその動作を停止する停止キーを兼用させてもよい。また、加熱スタートキー１１ｆｆは、加熱動作中に加熱動作を停止する加熱停止キーを兼用させてもよい。
【００７４】
図７Ａは本発明の加熱調理器の実施の形態２の操作部のブロック図である。
【００７５】
図７Ａにおいて、操作部の主な構成要素は、加熱調理器の操作手順を記憶する記憶部１２、音声発生部１３、指１４ａによって押下操作される電極部１４ｂを有する操作部である静電式タッチキー１４、誘導操作切替部１５、加熱制御部１６、表示部１７である。
【００７６】
静電式タッチキー１４は、トッププレート２上の被加熱物（図示せず）を載置する面と対向する面にある電極部１４ｂと、トッププレート２を挟んで被加熱物（図示せず）載置面にある指１４ａとで、コンデンサを形成している。電極部１４ｂには、高周波電圧が印加されている。
【００７７】
操作検知部６は、指１４ａが電極部１４ｂ上方のトッププレート２上面に触れたときに、発振回路（図示せず）により高周波電流をトッププレート２、指１４ａを通して大地にバイパスし、電極部１４ｂと上記発振回路の共通電位間のインピーダンスが減少することにより電極部１４ｂに現れる電圧が所定以上低下することを検知して、操作が行われたことを検知している。
【００７８】
揚物スタートキー１１ｃｃと加熱スタートキー１１ｆｆでは、使用頻度は加熱スタートキー１１ｆｆの方が高く、操作の誘導は加熱スタートキー１１ｆｆを優先する。それぞれの状態でどのキーが操作可能であり、複数のキーが操作可能な場合はどのキーが使用頻度が高く、誘導を優先的に行うかといった情報は、記憶部１２に予め記憶されている。
【００７９】
加熱調理器において、図６Ｂに示すロック状態の場合、発光制御部８は、操作可能なキーがロック解除キー１１ｇｇである事を記憶部１２より受け取り、ロック解除キー１１ｇｇのみが０．５ｓ周期で点滅するよう、導光板７の発光を制御する。更に、発光制御部８は、音声発生部１３にユーザーに操作を促すメッセージの発生指令を出し、音声発生部１３からメッセージが発生される。
【００８０】
なおこの時、図６Ａに示すように、機器がどういう機能を持っているかをユーザーに知らせるために一定時間全ての静電式タッチキーが点灯する。しかしながら、このような実施の形態に限るものではなく、必ずしも全ての静電式タッチキーが点灯しなくても構わない。
【００８１】
ユーザーがロック解除キー１１ｇｇを操作すると、操作検知部６はロック解除キー１１ｇｇの操作を検知し、ロック解除キー１１ｇｇが操作された事を、発光制御部８に知らせる。発光制御部８は、ロック状態からロック解除キー１１ｇｇが押された場合は、ロック解除状態となり、揚物スタートキー１１ｃｃと加熱スタートキー１１ｆｆのみが操作可能であることを判定し、ロック解除キー１１ｇｇの点滅状態を解除して消灯状態に戻す。その後、発光制御部８は操作可能なキーが揚物スタートキー１１ｃｃと加熱スタートキー１１ｆｆであること、その中でも加熱スタートキー１１ｆｆを優先的に誘導することを記憶部１２より受け取る。そして、図６Ｃに示すように揚物スタートキー１１ｃｃは比較的目立ちにくい１．０ｓ周期、加熱スタートキー１１ｆｆはより目立つ０．５ｓ周期というように、周期を変えて点滅するように、導光板７の発光を制御する。
【００８２】
更に、発光制御部８は、音声発生部１３にユーザーに操作を促すメッセージの発生指令を出し、音声発生部１３からメッセージが発生される。なお、音声発生部１３は、本実施の形態に限定されず、実施の形態１における導光板７の発光制御と組み合せてメッセージを発生させるようにしてもよい。
【００８３】
ユーザーの視線はより目立つ点滅周期の早いキーに優先的に導かれる。使用頻度の高い静電式タッチキーを点滅周期を早くすることで天面操作部３を見たとき使用頻度の高い静電式タッチキーに視線を優先的に導き操作を簡単に行うようにすることができる。また、操作可能な静電式タッチキー１１のみが点灯あるいは点滅するので、その他の無効なキーを操作する誤操作がなくなる。
【００８４】
また、ユーザーは、誘導操作切替部１５を操作して、静電式タッチキー５が操作可能か操作不可能であるかに応じて導光板７の点灯・消灯動作を行う誘導操作機能を無効にすることができる。この場合は、図６Ａに示すように、全ての静電式タッチキー５は機器の状態に関わらず点灯したままとなり、誘導操作を行わない。ユーザーがキーの機能、配置、又は操作方法を習得した場合は、誘導操作を行わない事で、静電式タッチキー５の点滅のわずらわしさを解消できる。
【００８５】
以上の実施の形態では、トッププレート２には結晶化セラミックなどで形成された耐熱ガラスを用いたが、透明樹脂を用いても良い。トッププレート２に印刷膜を形成して着色することに代え、トッププレー２トにハーフミラー加工の印刷膜や蒸着膜を形成することにより、または電極部５ｂのトッププレート２側の色と導光板７の消灯時の色を同色としても、同様に導光板７の消灯時にキー表示部が見えにくくなるようにすることができる。
【００８６】
また、図７Ｂに示すように、不点灯検知部１８を設けてもよい。発光制御部８には、直流電圧ＶＤを供給する直流電源（図示せず）と、共通電位にエミッタが接続されたトランジスタ８ｃと、トランジスタ８ｃのコレクタに直列接続される抵抗８ｂと、トランジスタ８ｃのベースに接続されトランジスタ８ｂを駆動する駆動部８ａが設けられている。操作部発光体７ｃは、導光板７ｂに光源としてＬＥＤ７ａが付設され構成されている。導光板７ｂは、ＬＥＤ７ａの発光する光を入射して電極部１４ｂの方向に導き照射する。ＬＥＤ７ａのアノードに発光制御部８の直流電圧ＶＤが接続され、ＬＥＤ７ａのカソードに抵抗８ｂとトランジスタ８ｃの直列回路を接続して、ＬＥＤ７ａ、抵抗８ｂ及びトランジスタ８ｃの直列回路に直流電圧ＶＤを加える。不点灯検知部１８は、ＬＥＤ７ａのカソードと抵抗８ｂの接続点の電圧と、駆動部８ａからトランジスタ８ｃの駆動信号を入力する。不点灯検知部１８は、ＬＣＤ又はＬＥＤで構成された表示部１７に信号を出力して、検知結果を表示部１７に表示させる。また、不点灯検知部１８は、加熱制御部１６に信号を出力して、加熱部１の加熱動作を制御する。
【００８７】
上記構成において、不点灯検知部１８は、駆動部８ａがトランジスタ８ｃを駆動しているかどうかを監視する。駆動部８ａが駆動中にＬＥＤ７ａのエミッタの電位がＬｏレベル（略共通電位）であるか、Ｈｉレベル（直流電圧ＶＤの電位からＬＥＤ７ａの順方向電圧を差し引いた電位）であるかを判別する。不点灯検知部１８は、ＬＥＤ７ａが断線し不点灯であることを、駆動部８ａが駆動中にＬＥＤ７ａのエミッタの電位がＬｏレベル（略共通電位）であることを検知することにより判別することができる。また、不点灯検知部１８は、ＬＥＤ７ａが短絡して不点灯であることを、駆動部８ａが駆動中にＬＥＤ７ａのエミッタの電位が直流電圧ＶＤの電位であることを検知することにより判別することができる。
【００８８】
以上のように、不点灯検知部１８を備え、操作部発光体８を構成するＬＥＤ７ａが断線して又は短絡してＬＥＤ７ａ、導光体７ｂが点灯していないことを不点灯検知部１８が検知した場合は、表示部１７にエラーの発生を表示して、静電式タッチキー５の断線、又は不点灯をユーザーに知らせるので、ユーザーを戸惑わせることを防止することができる。また、ＬＥＤ７ａが断線してＬＥＤ７ａ、導光体７ｂが不点灯である場合に、加熱部１の加熱動作を制御する加熱制御部１６に停止信号を出力して加熱を停止するか加熱出力を小さくするよう制限すれば、ユーザーが意図しないで静電式タッチキー５に触れ、加熱動作を開始させる又は不用意な加熱動作で危険な状況が生じることを防止することも可能である。
【００８９】
なお、実施の形態１及び実施の形態２に記載の構成を必要に応じて適宜組み合せて使用することができる。
【産業上の利用可能性】
【００９０】
本発明の加熱調理器の操作部は、上面にトッププレートを備えた誘導加熱調理器に特に有用であるが、その他のガスやハロゲンなどの熱源を備えた加熱調理器の操作部として利用できる。複雑な操作を必要とする機器、または、スイッチの数量が限られる機器に利用すると、ユーザーは製品の仕様書を見なくとも次にどの操作をすればいいのかがわかるので、スムーズな操作が可能になる。また、使用可能なスイッチはそれ以外の使用可能でないスイッチとその発光色で区別されるので、誤操作を減らす事ができる。さらに、通常はスイッチが見えず、使用時のみスイッチが現れるので、操作部分のデザイン性が改善する。
【符号の説明】
【００９１】
２    トッププレート
３    天面操作部
４ａ    電源スイッチ
５    静電式タッチキー
５ｂ    電極部
６    操作検知部
７    導光板（操作部発光体）
７ａ    ＬＥＤ（操作部発光体）
７ｂ    導光板（操作部発光体）
７ｃ    操作部発光体
８    発光制御部
１２    記憶部
１３    音声発生部
１４    誘導操作切替部
１７    表示部
１８    不点灯検知部
【図１】
0005494776.tif 000002
【図２】
0005494776.tif 000003
【図３】
0005494776.tif 000004
【図４Ａ】
0005494776.tif 000005
【図４Ｂ】
0005494776.tif 000006
【図４Ｃ】
0005494776.tif 000007
【図４Ｄ】
0005494776.tif 000008
【図５Ａ】
0005494776.tif 000009
【図５Ｂ】
0005494776.tif 000010
【図５Ｃ】
0005494776.tif 000011
【図６Ａ】
0005494776.tif 000012
【図６Ｂ】
0005494776.tif 000013
【図６Ｃ】
0005494776.tif 000014
【図７Ａ】
0005494776.tif 000015
【図７Ｂ】
0005494776.tif 000016
【図８】
0005494776.tif 000017